(57)【要約】【課題】着用した場合の身体の動きに応じて安定的に動いてくれ、子供に適用する場合には、簡単に頭から被るだけでお出かけモードにでき、子供の動きや仕草を愛らしく見せることができ、デザイン性にも優れたポンチョ型外衣を提供する。【解決手段】頭を通す貫頭穴７を具えたポンチョ型外衣であって、脇下と腰付近との間から上方に亘る上半部３よりも、脇下と腰付近との間の下方に亘る下半部４を重く形成する。また、上半部３を、ニット編みの生地で形成される一方で、下半部４は、シーチング編みまたはブロード編みで成る布帛により形成する。好ましくは、下半部４の比重は、上半部の比重の２倍以上にする。【選択図】図１
2014019988.tif 000002
【特許請求の範囲】
【請求項１】
頭を通す貫頭穴を具えたポンチョ型外衣であって、脇下と腰部付近との間から上方に亘る上半部よりも、前記脇下と腰部付近との間から下方に亘る下半部が重く形成されたことを特徴とするポンチョ型外衣。
【請求項２】
前記上半部は、ニット編みの生地で形成される一方で、前記下半部は、シーチング編みまたはブロード編みで成る布帛により形成されたことを特徴とする請求項１記載のポンチョ型外衣。
【請求項３】
前記上半部の生地に、前記下半部として複数の帯状の布帛が夫々前記貫頭穴とほぼ同心円状に配置して縫製されたことを特徴とする請求項２記載のポンチョ型外衣。
【請求項４】
前記シーチング編みまたは前記ブロード編みに供される素材はコットンであることを特徴とする請求項２又は３記載のポンチョ型外衣。                                                                            
【請求項５】
前記上半部と前記下半部の境界は、肘から前腕部中央付近の間に位置することを特徴とする請求項１乃至４のいずれか一項に記載のポンチョ型外衣。
【請求項６】
前記下半部の比重は、前記上半部の比重の２倍以上であることを特徴とする請求項１乃至５のいずれか一項に記載のポンチョ型外衣。
【請求項７】
前記上半部は、比重１３mg/ cm2〜２２mg/ cm2の範囲で形成され、
前記下半部は、比重３５mg/ cm2〜７５mg/ cm2の範囲で形成されていることを特徴とする請求項１乃至６のいずれか一項に記載のポンチョ型外衣。
【請求項８】
前記下半部の布帛に、刺繍を施し、又はパッチワークで縫製したことを特徴とする請求項１乃至７のいずれか一項に記載のポンチョ型外衣。
【請求項９】
前記貫頭穴の縁に、フードを縫製したことを特徴とする請求項１〜８のいずれか一項に記載のポンチョ型外衣。
【発明の詳細な説明】
【技術分野】
【０００１】
本発明は頭から被るだけで簡単に着服できるポンチョ型外衣に係り、安定感ある着服感と、腕などの身体の急激な動作に対しても抵抗感を感じさせないポンチョ型外衣に関するものである。
【背景技術】
【０００２】
ポンチョはアウターあるいはコートとして着用され、例えば特許文献１に記載のように、防雨用のポンチョ等が知られている。また近年、子供連れの親が外出する場合に、子供に袖に腕や手を通すことなく、頭から被せるだけで簡単にお出かけモードに変身させることができる外衣が求められるようになってきている。
【０００３】
上記特許文献１のポンチョは、上から下まで防水機能を有する同一素材のシート材で形成されている。これにより、係るポンチョを被って着用するだけで、身体が雨で濡れるのを回避できるようにしている。
【先行技術文献】
【特許文献】
【０００４】
【特許文献１】特開２０１１−１２７２６３号公報
【発明の概要】
【発明が解決しようとする課題】
【０００５】
しかしながら、子供用のポンチョを製作する場合においては、子供の仕草がかわいらしく見えるように、子供が腕を上げたり、走ったりする動作に対して、ポンチョの素材である布帛が子供の動きに適度に追随して、きれいに拡がることが望まれている。
【０００６】
たとえば、上記特許文献１のポンチョのように同じ素材を用いて製作した場合にあっては、子供が腕を上げたり、走ったりする動作に対して布帛が子供の動きに追随せず、きれいに広がりにくくなるという問題がある。一方、ポンチョを軽い素材で製作すると、子供の僅かな動作に対しても全体が捲れてしまい、子供の仕草をかわいく見せることができない。
【０００７】
本発明は上記問題に鑑みて工夫されたものであり、肩から腕や胴回りを釣り鐘状に覆う外衣であって、着用した場合の身体の動作に安定的に追随して、子供の動きや仕草を愛らしく見せることができるポンチョ型外衣を提供することを目的とする。
【課題を解決するための手段】
【０００８】
(１)本発明は、頭を通す貫頭穴を具えたポンチョ型外衣であって、脇下と腰部付近との間から上方に亘る上半部よりも、前記脇下と腰部付近との間の下方に亘る下半部の方が重く形成されたことを特徴とするポンチョ型外衣である。
【０００９】
本発明によれば、ポンチョ型外衣の貫頭穴に頭を入れて被ることで、肩から腕を包み込んで身体の上半身を釣り鐘状に覆う形態のポンチョ型外衣が着用される。ポンチョ型外衣の下半部が上半部よりも重く形成されているので、ポンチョ型外衣は子供の激しい動きに対応して安定した状態で追随することができる。このため、上半部は下半部よりも軽い重量に形成されているので、子供が腕をすばやく広げるような動作に対してポンチョ型外衣がその動作に応じて軽く持ち上げることができ、腕を広げたり伸ばしたりする動作をスムーズに行えるようになる。したがって、ポンチョ型外衣を着用する子供の仕草をかわいく見せることができ、また着替えを省いて子供に頭から被せるだけで外出モードにでき、親の手間を省力化したポンチョ型外衣を実現できるようになる。このポンチョ型外衣の丈は、手首が僅かに出る程度〜手先が丁度隠れる程度が望ましい。なお、このポンチョ型外衣は大人用にも適用できるのは勿論のこと、ケープやサリーなどにも応用できることは言うまでもない。したがって、本発明に係るポンチョ型外衣は、子供用のみならず大人用も含み、所謂ケープやサリーも含む。
【００１０】
(２)本発明に係るポンチョ型外衣はまた、前記上半部は、主としてニット編みの生地で形成される一方で、前記下半部は、主としてシーチング編みまたはブロード編み（ポプリンも含む）で成る布帛により形成されたことを特徴とする。
【００１１】
本発明によれば、上半部をニット編みの生地で、下半部をシーチング編みまたはブロード編みで成る布帛で形成しているので、下半部の重さを上半部の重さよりも適度に大きくでき、着用時に安定感あるポンチョ型外衣を得ることができるようになる。
【００１２】
(３)本発明に係るポンチョ型外衣は、また、上半部の生地に、下半部として複数の円弧帯状の布帛が夫々前記貫頭穴とほぼ同心円状に配置して縫製されたことを特徴とする。
【００１３】
本発明によれば、上半部の生地に複数の円弧帯状の布帛を貫頭穴とほぼ同心円的に配置して縫製することで、下半部の重量を増すことができ、適切な重量に調整することが容易になる。
【００１４】
(４)本発明に係るポンチョ型外衣の上半部に用いられるニット編み、下半部に用いられるシーチング編みまたはブロード編みは、ウール、ポリエステル、コットンなど特にその素材には影響されず上記の効果を奏するが、素材をコットンにすることにより、麻っぽくみえ、吸湿性に優れる。そのため、夏季の汗ばんだ腕を急に広げる動作をした場合でも、腕に上半部がからみつくことがなく、ポンチョ型外衣を腕の動きに応じて裾が拡がって、ポンチョ型外衣を着用する子供の見栄えを効果的に演出できるようになる。
【００１５】
（５）本発明に係るポンチョ型外衣の前記上半部と前記下半部の境界は、肘から前腕部中央付近の間に位置することを特徴とする。肘から前腕部中央付近の間に上半部と下半部の境界が来るようにすると、ポンチョ型外衣を着た状態であたかも袖があるように見え、また、動きに対して適度な広がりを持ってその動きに追従するので、子供の動きや仕草を愛らしく見せることができる。
【００１６】
（６）本発明に係るポンチョ型外衣は、また、前記下半部の比重は前記上半部の比重の２倍以上、好ましくは２倍〜４倍程度の範囲であることを特徴とする。この比重配分で形成することにより、安定感が良く、動きの可愛らしさを強調することができる。
【００１７】
（７）さらに、上半部を比重１３mg/cm2〜２２mg/cm2の範囲を形成し、下半部を比重３５mg/cm2〜７５mg/cm2の範囲で形成することによって、より着心地の良いポンチョ型外衣を実現することができる。
【００１８】
(８)本発明に係るポンチョ型外衣は、また、前記下半部の布帛に、刺繍を施し、又はパッチワークで縫製したことを特徴とする。
【００１９】
本発明によれば、下半部の布帛に刺繍を施すことで下半部の重量を増すことができると共に、刺繍により様々な図柄、絵柄のデザイン処理を施すことでキャラクター性、デザイン性においてポンチョ型外衣を他のポンチョ型外衣に対して差別化を図ることができるようになる。また、下半部の布帛をパッチワークで縫製することで下半部の重量を容易に増すことができる。
【００２０】
さらに、下半部の布帛に、パッチワークを取り付ける領域を設けるようにしても良い。当該領域に重さ調整用のパッチワークを取り付けることにより、その動作追随性を微調整することができる。
【００２１】
(９)本発明に係るポンチョ型外衣は、また、前記貫頭穴の縁に、フードを縫製したことを特徴とする。
【００２２】
本発明によれば、フードを具えることでかわいらし外観体裁を有するポンチョ型外衣を実現できるようになる。
【発明の効果】
【００２３】
本発明によれば、袖に手を通したりして着替えをする手間を省略して、頭から被るだけで簡単に着服できるポンチョ型外衣の利点に着眼し、ポンチョ型外衣を被ったときに、安定感のある着用フィーリングと、急激な腕の動きに対しても裾がしなやかに広がることで見栄えがよく、デザイン性、キャラクター性に富んだポンチョ型外衣を実現できる効果を奏する。
【図面の簡単な説明】
【００２４】
【図１】本発明の一実施例に係る仕上がりのポンチョであって、(ａ)はポンチョを子供に着せた状態を示す正面図、(ｂ)はその背面図、(ｃ)はカニ刺繍の図柄、(ｄ)は波状刺繍の図柄を示す。
【図２】上記ポンチョにおける縫合前における右前身頃と左前身頃との展開図である。
【図３】上記ポンチョに用いられるフードの外観側面図である。
【図４】上記ポンチョのデザイン検討を説明する説明図である。
【図５】本実施例によるポンチョの効果の説明図であり、図５（ａ）は手を腰に置いたときの着用状態を示す外観図、図５（ｂ）は手をほぼ水平に上げたときの着用状態を示す外観図である。
【図６】図５との対比を説明するための図であり、図６（ａ）は全体をシーチング編み又はブロード編みで成る布帛で形成したポンチョを着用して図５（ａ）と同じ姿勢をとったときの外観図、図６（ｂ）は全体をニット編みの生地で形成したポンチョを着用して図５（ｂ）と同じ姿勢をとったときの外観図である。
【図７】試作品のポンチョの重量比を比較して示す表である。
【図８】上記一実施例の変形例に係り、(ａ)は正面図、(ｂ)は背面図である。
【発明を実施するための形態】
【００２５】
以下、本発明に係るポンチョ型外衣を、ポンチョに適用した場合を例に挙げて図面を参照しながら実施例を詳述する。なお、ケープやサリーなどの外衣にも適宜応用できるのは勿論である。
【００２６】
図１〜図５は一実施例であるポンチョ１に係り、図１(ａ)、同(ｂ)は子供がポンチョ１を着た前後の状態を外観で示したもので、このポンチョ１は頭を通す貫頭穴の縁にフード２が設けられ、かつ、脇下と腰部付近との間から上方に亘る上半部３よりも、脇下と腰付近との間の下方に亘る下半部４が重く形成されている。なお、上半部３と下半部４の境界は、肘の若干下から前腕部中央（肘から手首までの中間位置）の間に来るようにするのが望ましい。
【００２７】
ポンチョ１は図２に示すように、左右の扇状に拡がる適宜の寸法形状を有する前身頃５，６、および不図示の左右の扇状に拡がる上記の前身頃５，６とほぼ同じ外観形態を有する後身頃を、それぞれの縁をつき合わせて切り替えにより縫合していくことで一体化され、一着のポンチョ１が製作される。上記の各身頃が縫合されると、頭を通すことができる貫頭穴７が形成され、その縁８に図３に示されるニット編みで形成されたフード２が適宜に縫いつけられる。
【００２８】
上半部３は例えば綿１００％のニット編みによる生地で形成され、重量が軽い部分となる。下半部４は、シーチング編みまたはブロード編みで成る扇状に展開する布帛で形成され、重量が上半部３に対して重くなる部分となる。布帛は円弧状の形状を有する第１布帛４ａと、第２布帛４ｂとで構成される。上半部３と第２布帛４ｂとの間に存する第１布帛４ａの縫合部は、例えばニットテープで縫合部を隠ぺいされる。
【００２９】
そして、第１布帛４ａには、例えば図１(ｃ)に示されるようなカニの図柄であるカニ刺繍９が繰り返しパターンで施されている。
上記第２布帛４ｂは、刺繍やパッチワークが縫合されない単なる布帛部分４ｂ１と、刺繍の施される刺繍部分４ｂ２と、三角形状に裁断されたパッチワーク１０を布帛の表面に縫合したパッチワーク部分４ｂ３とからなる。上記刺繍部分４ｂ２には、例えば図１(ｄ)に示されるような波状の図柄でなる波状刺繍１１が施される。さらにパッチワーク部分４ｂ３の外縁に沿って、飾り用のフリンジ１２が縫合される(図１参照)。
【００３０】
このように、下半部４ａ，４ｂ、あるいは、下半部４ｂ１〜４ｂ３を、それぞれ円弧帯状に形成して、貫頭穴とほぼ同心円状に配置して縫製することで、下半部の重量の調整が容易となる。なお、下半部４は、すべてシーチング編み、またはブロード編みのみで形成しても良いが、少なくともシーチング編み、またはブロード編みでなる円弧状の布帛を含めることにより、上半部のニット編み部分と相俟って、動きに対して適度な追従性を持たせることができる。
【００３１】
ところで、上記ポンチョ１のデザイン、殊に下半部４のデザインは、例えば図４に示すように、トルソー１５(人形)に無地の生地で成るデザイン検討用のポンチョ１３を着せて行われる。換言すると、ポンチョ１３の左半部に、種々の刺繍図柄を画いたり、種々の形状でなるパッチワークの図柄を画いたりすることで、ポンチョ１３全体のデザインが検討され、顧客の好みに合うデザインが決定されるようになっている。
【００３２】
こうして、本実施例に係るポンチョ１によれば、下半部４の布帛のうち、第１布帛４ａにはカニ刺繍９が施され、第２布帛４ｂには刺繍部分４ｂ２と、パッチワーク部分４ｂ３とが設けられているので、ポンチョ１は上半部３の重量に対して下半部４の重量の方が大きくなる。
【００３３】
ここで、好ましいポンチョとは、第１に、ポンチョを着て腕を自然に下に垂らした状態もしくは腰に手を置いた状態で、図４のＡ部や図５（ａ）に示すように、脇下からくぼみを形成し、あたかも袖が存在するように見えること、第２に、動きのある状態（たとえば、腕を水平程度に上げた状態）でポンチョの裾が自然に広がることである（図５（ｂ）参照）。例えば、ポンチョ全体をシーチング編みやブロード編みでなる布帛で製作すると、図６（ａ）に示すように、自然な状態（図５（ａ）と同じ姿勢）において、脇下からくぼみ（すなわち図４Ａ部）が形成されない。一方、ポンチョ全体をニット編みの生地で製作すると、図６（ｂ）に示すように、腕を上げるとポンチョ全体が腕や身体に纏わり付いてしまい、図５（ｂ）のような広がりが形成されない。
【００３４】
発明者らは、ニット編みの生地で形成された上半部３とシーチング編みやブロード編みでなる布帛で形成された下半部４との境界が着服時において、肘から前腕部中央の間にあるときに、動きに対して最もきれいな広がりを形成することを発見した。また、上半部３と下半部４の境界をこの範囲にしたとき、上半部３を一般的に市販されているニット編みの生地で形成し、下半部４を一般的に市販されているシーチング編みやブロード編みでなる布帛で形成するのみでも、好ましいポンチョとして説明した上記第１と第２の効果はあるが、下半部４の重さはある程度あったほうがその効果が大きくなる。このため、発明者らは上半部３と下半部４とのポンチョ比重比が種々異なるサンプル品を試作した。それを表に示すと図７のようになる。
【００３５】
すなわち、ポンチョ１を貫頭穴７から被って着服した場合における安定度、換言すると腕を広げたときに裾が見栄え良く拡がって優雅にみえるポンチョというのは、少なくとも下半部４の比重が上半部３の比重の２倍以上が好ましいポンチョの比重比であると判断できる。なお、比重比の上限については、ある程度許容範囲は広く、また、ポンチョのサイズにより多少違いはあるものの、少なくとも下半部４の比重が上半部３の比重の４倍程度迄は効果は維持され、１０倍程度でも一定の効果を奏することは確認されている。
【００３６】
ちなみに、上半部は比重（平均）１３mg/ cm2〜２２mg/ cm2の範囲で形成し、下半部は比重（平均）３５mg/ cm2〜７５mg/ cm2の範囲で形成するのが好ましいが、一般的に心地よい衣服の重量があり、上述した比重比の下この観点で作成すれば、大体この比重の範囲に含まれることになると考えられる。
【００３７】
本実施例のポンチョ１によれば、ポンチョ型外衣の貫頭穴に頭を入れて被ることで、簡単に肩から腕を包み込んで身体の上半身を釣り鐘状に覆うことができる。
【００３８】
このため、例えば、親が子供を連れて外出する場合には、ポンチョを頭から被せるだけで、短時間でお出かけモードの準備ができ、他人が未だ着ていない斬新なデザイン性に富んだポンチョ１であるため、子供の動線が目立ちやすく、安心感を醸し出してくれる効果がある。
【００３９】
また、ポンチョ１は子供の激しい動きに対しても、常に安定した状態で追随するように構成されている。そのため、子供が腕をすばやく広げるような動作に対しても、ポンチョ１の裾がその動作に応じて軽く持ち上がり、腕を広げたり伸ばしたりする動作をスムーズに行うことができ、着心地の良いポンチョを得ることができる。また、ポンチョを着用する我が子をかわいく見せることができるので、親に満足感のいくポンチョを実現できる効果もある。
【００４０】
本発明は上記実施例に限られるものではなく、その趣旨及び技術思想を逸脱しない範囲で種々の変形が可能である。
【００４１】
例えば、上記実施例では貫頭穴７にフード２を設けたポンチョ１であったが、図８に示すようにフードを有しない変形例に係るポンチョ１４にも適用できるのは言うまでもない。また、この場合、上記一実施例では上半部と下半部との境目を脇下付近に設定したが、本変形例においては腰骨付近に設定する構成としている。係るポンチョ１４にあっても、上記実施例の場合とほぼ同様の、安定感のある着服感を有するポンチョを得ることができる。
【００４２】
また、上記実施例では、刺繍をしたり、パッチワークを縫合したりすることで下半部４の重量を大きくなるようにしたが、この代わりに帯状の布帛をフリルとして、第１布帛４ａや第２布帛４ｂの表面に同心円状に配置して縫製する構成としてもよい。これにより、下半部４の重量を上半部３の重量よりも大きくすることができる。
【００４３】
また、上記実施例ではポンチョについて説明したが、ケープ型外衣あるいはサリーにも適用できるのは言うまでもない。
【産業上の利用可能性】
【００４４】
本発明は大人用のポンチョ型外衣は勿論、子供用のポンチョ型外衣としても利用可能である。
【符号の説明】
【００４５】
１  ポンチョ
２  フード
３  上半部
４  下半部
４ａ  第１布帛
４ｂ  第２布帛
４ｂ１  布帛部分
４ｂ２  刺繍部分
４ｂ３  パッチワーク部分
５  左前身頃
６  右前身頃
７  貫頭穴
８  貫頭穴の縁
９  カニ刺繍の図柄
１０  パッチワーク
１１  波状刺繍
１２  フリンジ
１３  デザイン検討用のポンチョ
１４  変形例に係るポンチョ
１５  トルソー
【図７】
2014019988.tif 000003
【図１】
2014019988.tif 000004
【図２】
2014019988.tif 000005
【図３】
2014019988.tif 000006
【図４】
2014019988.tif 000007
【図５】
2014019988.tif 000008
【図６】
2014019988.tif 000009
【図８】
2014019988.tif 000010